(57)【要約】【課題】データ線の電圧振幅を簡易な構成で抑える。【解決手段】画素１１０は、画素容量と、一端が画素電極に接続され他端が容量線１３２に接続された蓄積容量とを含む。容量線１３２は、１〜３２０行のそれぞれに対応して設けられ、容量線駆動回路１５０は、１〜３２０行のそれぞれにおいてＴＦＴ１５１、１５２の組を有する。検出回路１７０は、各行のそれぞれにおいてＴＦＴ１７６、１７８を有する。ここで、あるｉ行目の走査線が選択されたとき、ＴＦＴ１５１、１７６がオンする。このとき、第１容量信号出力回路３１は、第１検出線１８５が第１目標信号Ｖc1refの電圧となるように第１容量信号Ｖc1を第１給電線１６５に出力する。当該着目行より１行下の走査線が選択されたとき、ＴＦＴ１５２、１７８がオンして、第２容量信号出力回路３２は、第２検出線１８７が第２目標信号Ｖc2refの電圧となるように第２容量信号Ｖc2を、第２給電線１６７に出力する。【選択図】図１
2008040378.tif 000002
【特許請求の範囲】
【請求項１】
複数行の走査線と、
複数列のデータ線と、
前記複数行の走査線に対応して設けられた複数の容量線と、
前記複数行の走査線と前記複数列のデータ線との交差に対応して設けられ、各々は、
一端が自身に対応するデータ線に接続されるとともに、自身に対応する走査線が選択さ
れたときに導通状態となる画素スイッチング素子と、
一端が前記画素スイッチング素子の他端に接続され、他端がコモン電極である画素容量
と、
前記画素容量の一端と前記走査線に対応して設けられた容量線との間に介挿された蓄積
容量と、
を含む画素と、
を有する電気光学装置の駆動回路であって、
前記走査線を所定の順番で選択する走査線駆動回路と、
一の走査線に対応して設けられた容量線に対し、当該一の走査線が選択されたときに、
第１容量信号を供給し、当該一の走査線に対して所定数行だけ離間した走査線が選択され
たときに、前記第１容量信号の電圧から所定値だけ変化させる容量線駆動回路と、
当該一の走査線が選択されたときに前記容量線が第１目標電圧となるように、前記第１
容量信号を出力する第１容量信号出力回路と、
選択された走査線に対応する画素に対し、当該画素の階調に応じた電圧のデータ信号を
、データ線を介して供給するデータ線駆動回路と、
を具備することを特徴とする電気光学装置の駆動回路。
【請求項２】
前記第１容量信号出力回路は、
当該一の走査線が選択される期間の開始側である第１期間において、前記第１目標電圧
をバッファリングし、
当該一の走査線が選択される期間の終了側である第２期間において、前記容量線の電圧
が第１目標電圧となるように負帰還制御する
ことを特徴とする請求項１に記載の電気光学装置の駆動回路。
【請求項３】
前記容量線駆動回路は、
当該一の容量線を、
当該一の容量線に対応する走査線が選択されたとき、前記第１容量信号を給電する第１
給電線に接続し、当該一の走査線に対して前記所定数行だけ離間した走査線が選択された
ときに第２容量信号を給電する第２給電線に接続する
ことを特徴とする請求項１に記載の電気光学装置の駆動回路。
【請求項４】
前記容量線駆動回路は、
前記容量線の各々に対応して、第１および第２トランジスタを有し、
一の容量線に対応する前記第１トランジスタは、ゲート電極が当該一の容量線に対応す
る走査線に接続され、ソース電極が前記第１容量信号を給電する第１給電線に接続され、
前記第２トランジスタは、ゲート電極が当該一の走査線に対して所定数行だけ離間した
走査線に接続され、ソース電極が第２容量信号を給電する第２給電線に接続され、
前記第１および第２トランジスタのドレイン電極が当該一の容量線に共通接続された
ことを特徴とする請求項１に記載の電気光学装置の駆動回路。
【請求項５】
さらに、
当該一の走査線に対して所定数行だけ離間した走査線が選択されたときに前記容量線が
第２目標電圧となるように、前記第２容量信号を前記第２給電線に出力する第２容量信号
出力回路を備える、
ことを特徴とする請求項３または４に記載の電気光学装置の駆動回路。
【請求項６】
前記一の走査線に対応して設けられた容量線に対し、容量を介して結合する検出線を有
し、
前記第１容量信号出力回路は、当該一の走査線が選択される期間において、前記検出線
に現れたノイズ成分を打ち消すように前記第１容量信号を出力する
ことを特徴とする請求項１に記載の電気光学装置の駆動回路。
【請求項７】
前記容量線駆動回路は、
当該一の容量線を、
当該一の容量線に対応する走査線が選択されたとき、前記第１容量信号を給電する第１
給電線に接続し、当該一の走査線に対して前記所定数行だけ離間した走査線が選択されて
から、当該一の容量線に対応する走査線が再び選択されるまで、第２容量信号を給電する
第２給電線に接続する
ことを特徴とする請求項１に記載の電気光学装置の駆動回路。
【請求項８】
前記容量線駆動回路は、
前記容量線の各々に対応して、第１乃至第４トランジスタを有し、
一の容量線に対応する前記第１トランジスタは、ゲート電極が当該一の容量線に対応す
る走査線に接続され、ソース電極が前記第１容量信号を給電する第１給電線に接続され、
前記第２トランジスタは、ソース電極が第２容量信号を給電する第２給電線に接続され
、
前記第３トランジスタは、ゲート電極が当該一の容量線に対応する走査線に接続され、
ソース電極が前記第２トランジスタをオフさせるためのオフ電圧を給電するオフ電圧給電
線に接続され、
前記第４トランジスタは、ゲート電極が当該一の走査線に対して前記所定数行だけ離間
した走査に接続され、ソース電極が前記第２トランジスタをオンさせるためのオン電圧を
給電するオン電圧給電線に接続され、
前記第３および第４トランジスタのドレイン電極が前記第２トランジスタのゲート電極
に共通接続され、
前記第１および第２トランジスタのドレイン電極が当該一の容量線に接続された
ことを特徴とする請求項１に記載の電気光学装置の駆動回路。
【請求項９】
複数行の走査線と、
複数列のデータ線と、
前記複数行の走査線に対応して設けられた複数の容量線と、
前記複数行の走査線と前記複数列のデータ線との交差に対応して設けられ、各々は、
一端が自身に対応するデータ線に接続されるとともに、自身に対応する走査線が選択さ
れたときに導通状態となる画素スイッチング素子と、
一端が前記画素スイッチング素子の他端に接続され、他端がコモン電極である画素容量
と、
前記画素容量の一端と前記走査線に対応して設けられた容量線との間に介挿された蓄積
容量と、を含む画素と、
前記走査線を所定の順番で選択する走査線駆動回路と、
一の走査線に対応して設けられた容量線に対し、当該一の走査線が選択されたときに、
第１容量信号を供給し、当該一の走査線に対して所定数行だけ離間した走査線が選択され
たときに、前記第１容量信号の電圧から所定値だけ変化させる容量線駆動回路と、
当該一の走査線が選択されたときに前記容量線が第１目標電圧となるように、前記第１
容量信号を出力する第１容量信号出力回路と、
選択された走査線に対応する画素に対し、当該画素の階調に応じた電圧のデータ信号を
、データ線を介して供給するデータ線駆動回路と、
を具備することを特徴とする電気光学装置。
【請求項１０】
請求項９に記載の電気光学装置を有する
ことを特徴とする電子機器。
【発明の詳細な説明】
【技術分野】
【０００１】
本発明は、液晶などの電気光学装置において、データ線の電圧振幅を簡易な構成で抑え
る技術に関する。
【背景技術】
【０００２】
液晶などの電気光学装置では、走査線とデータ線との交差に対応して画素容量（液晶容
量）が設けられるが、この画素容量を交流駆動する必要がある場合、データ信号の電圧振
幅が正負の両極性となるので、データ線にデータ信号を供給するデータ線駆動回路におい
ては、構成素子に電圧振幅に対応した耐圧が要求される。このため、画素容量に並列して
蓄積容量を設けるとともに、各行において蓄積容量を共通接続した容量線を、走査線の選
択に同期させて２値電圧で駆動することにより、データ信号の電圧振幅を抑える技術が提
案されている（特許文献１参照）。
【特許文献１】特開２００１−８３９４３号公報
【発明の開示】
【発明が解決しようとする課題】
【０００３】
ところで、この技術では、容量線を駆動する回路が、走査線を駆動する走査線駆動回路
（実質的にはシフトレジスタ）と同等であるので、容量線を駆動するための回路構成が複
雑化してしまう。
また、ノイズ等が重畳される結果、容量線が所定の電圧から乖離すると、当該容量線に
対応した画素を目的とする階調で表示させることができない。１行の容量線には多数の画
素に対応しており、これらの画素がすべて目標とする階調で表示できなくなる、というこ
とは、表示に悪影響を及ぼすことこになる。
本発明は、このような事情に鑑みてなされたもので、その目的とするところは、データ
線の電圧振幅を簡易な構成で抑えるとともに、表示の悪影響を少なくした電気光学装置、
その駆動回路および電子機器を提供することにある。
【課題を解決するための手段】
【０００４】
上記目的を達成するために、本発明に係る電気光学装置の駆動回路は、複数行の走査線
と、複数列のデータ線と、前記複数行の走査線に対応して設けられた複数の容量線と、前
記複数行の走査線と前記複数列のデータ線との交差に対応して設けられ、各々は、一端が
自身に対応するデータ線に接続されるとともに、自身に対応する走査線が選択されたとき
に導通状態となる画素スイッチング素子と、一端が前記画素スイッチング素子の他端に接
続され、他端がコモン電極である画素容量と、前記画素容量の一端と前記走査線に対応し
て設けられた容量線との間に介挿された蓄積容量と、を含む画素と、を有する電気光学装
置の駆動回路であって、前記走査線を所定の順番で選択する走査線駆動回路と、一の走査
線に対応して設けられた容量線に対し、当該一の走査線が選択されたときに、第１容量信
号を供給し、当該一の走査線に対して所定数行だけ離間した走査線が選択されたときに、
所定の電圧だけ変化させる容量線駆動回路と、当該一の走査線が選択されたときに前記容
量線が第１目標電圧となるように、前記第１容量信号の電圧を調整して出力する第１容量
信号出力回路と、選択された走査線に対応する画素に対し、当該画素の階調に応じた電圧
のデータ信号を、データ線を介して供給するデータ線駆動回路と、を具備することを特徴
とする。
本発明によれば、一の容量線は、自身に対応する走査線が選択されてから、所定行だけ
離間した走査線が選択されるときにかけて、電圧変化する。このときに、蓄積容量に蓄積
された電荷が再配分されるので、画素容量の保持電圧が、データ信号電圧以上となる。さ
らに、当該一の容量線は、第１目標電圧となるように調整される。このため、容量線駆動
回路の構成の複雑化を回避しつつ、データ線の電圧振幅が抑えられるとともに、容量線の
電圧変動による表示の悪影響が少なくなる。
【０００５】
本発明において、前記第１容量信号出力回路は、当該一の走査線が選択される期間の開
始側である第１期間において、前記第１目標電圧をバッファリングし、当該一の走査線が
選択される期間の終了側である第２期間において、前記容量線の電圧が第１目標電圧とな
るように負帰還制御する構成が好ましい。
また、本発明において、前記容量線駆動回路は、当該一の容量線を、当該一の容量線に
対応する走査線が選択されたとき、前記第１容量信号を給電する第１給電線に接続し、当
該一の走査線に対して前記所定数行だけ離間した走査線が選択されたときに第２容量信号
を給電する第２給電線に接続する構成としても良いし、前記容量線の各々に対応して、第
１および第２トランジスタを有し、一の容量線に対応する前記第１トランジスタは、ゲー
ト電極が当該一の容量線に対応する走査線に接続され、ソース電極が前記第１容量信号を
給電する第１給電線に接続され、前記第２トランジスタは、ゲート電極が当該一の走査線
に対して所定数行だけ離間した走査線に接続され、ソース電極が第２容量信号を給電する
第２給電線に接続され、前記第１および第２トランジスタのドレイン電極が当該一の容量
線に共通接続された構成としても良い。このような構成では、さらに、当該一の走査線に
対して所定数行だけ離間した走査線が選択されたときに前記容量線が第２目標電圧となる
ように、前記第２容量信号を前記第２給電線に出力する第２容量信号出力回路を備えても
良い。
一方、本発明において、前記一の走査線に対応して設けられた容量線に対し、容量を介
して結合する検出線を有し、前記第１容量信号出力回路は、当該一の走査線が選択される
期間において、前記検出線に現れたノイズ成分を打ち消すように前記第１容量信号を出力
する構成としても良い。
また、本発明において、前記容量線駆動回路は、当該一の容量線を、当該一の容量線に
対応する走査線が選択されたとき、前記第１容量信号を給電する第１給電線に接続し、当
該一の走査線に対して前記所定数行だけ離間した走査線が選択されてから、当該一の容量
線に対応する走査線が再び選択されるまで、第２容量信号を給電する第２給電線に接続す
る構成としても良いし、前記容量線の各々に対応して、第１乃至第４トランジスタを有し
、一の容量線に対応する前記第１トランジスタは、ゲート電極が当該一の容量線に対応す
る走査線に接続され、ソース電極が前記第１容量信号を給電する第１給電線に接続され、
前記第２トランジスタは、ソース電極が第２容量信号を給電する第２給電線に接続され、
前記第３トランジスタは、ゲート電極が当該一の容量線に対応する走査線に接続され、ソ
ース電極が前記第２トランジスタをオフさせるためのオフ電圧を給電するオフ電圧給電線
に接続され、前記第４トランジスタは、ゲート電極が当該一の走査線に対して前記所定数
行だけ離間した走査に接続され、ソース電極が前記第２トランジスタをオンさせるための
オン電圧を給電するオン電圧給電線に接続され、前記第３および第４トランジスタのドレ
イン電極が前記第２トランジスタのゲート電極に共通接続され、前記第１および第２トラ
ンジスタのドレイン電極が当該一の容量線に接続された構成としても良い。
また、本発明は、電気光学装置の駆動回路のみならず、電気光学装置としても、さらに
は、当該電気光学装置を有する電子機器としても概念することが可能である。
【発明を実施するための最良の形態】
【０００６】
以下、本発明の実施の形態について図面を参照して説明する。
【０００７】
＜第１実施形態＞
まず、本発明の第１実施形態について説明する。図１は、本発明の第１実施形態に係る
電気光学装置の構成を示すブロック図である。
この図に示されるように、電気光学装置１０は、表示領域１００を有し、この表示領域
１００の周辺に、走査線駆動回路１４０、容量線駆動回路１５０、検出回路１７０、デー
タ線駆動回路１９０が配置した周辺回路内蔵型のパネル構成となっている。また、制御回
路２０、第１容量信号出力回路３１および第２容量信号出力回路３２は、１群の回路モジ
ュールであり、上記周辺回路内蔵型のパネルとは、例えばＦＰＣ（flexible printed cir
cuit）基板によって接続される。
【０００８】
表示領域１００は、画素１１０が配列する領域であり、本実施形態では、１行目から３
２１行目までの計３２１行の走査線１１２が行（Ｘ）方向に延在する一方、２４０列のデ
ータ線１１４が列（Ｙ）方向に延在するように、それぞれ設けられている。
そして、図１において最も下の３２１行目を除いた１〜３２０行目の走査線１１２と１
〜２４０列目のデータ線１１４との交差に対応して、画素１１０がそれぞれ配列している
。したがって、本実施形態では、画素１１０が表示領域１００において縦３２０行×横２
４０列でマトリクス状に配列することになるが、本発明をこの配列に限定する趣旨ではな
い。
３２１行目の走査線１１２は、画素１１０に対応していないので、ダミー走査線として
機能することなる。すなわち、３２１行目の走査線１１２は、表示領域１００の垂直走査
（走査線を順番に選択する動作）において、選択されても画素１１０に対する電圧書込に
はなんら寄与しない。
また、１〜３２０行目の走査線１１２に対応して、それぞれ容量線１３２がＸ方向に延
在して設けられている。このため、本実施形態において、容量線１３２については、ダミ
ーとなる３２１行目の走査線１１２を除いた１〜３２０行目の走査線１１２に対応して設
けられることになる。
【０００９】
ここで、画素１１０の詳細な構成について説明する。図２は、画素１１０の構成を示す
図であり、ｉ行及びこれに下方向で隣接する（ｉ＋１）行と、ｊ列及びこれに右方向で隣
接する（ｊ＋１）列との交差に対応する２×２の計４画素分の構成が示されている。
なお、ｉ、（ｉ＋１）は、画素１１０が配列する行を一般的に示す場合の記号であって
、１以上３２０以下の整数であり、ｊ、（ｊ＋１）は、画素１１０が配列する列を一般的
に示す場合の記号であって、１以上２４０以下の整数である。ここで、ｉ、（ｉ＋１）に
ついては、画素１１０が配列する行を一般的に示す場合には、１以上３２０以下の整数で
あるが、走査線１１２の行を説明する場合には、ダミーである３２１行目を含める必要が
あるので１以上３２１以下の整数となる。
【００１０】
図２に示されるように、各画素１１０は、画素スイッチング素子として機能するｎチャ
ネル型の薄膜トランジスタ（thin film transistor：以下単に「ＴＦＴ」と略称する）１
１６と、画素容量（液晶容量）１２０と、蓄積容量１３０とを有する。各画素１１０につ
いては互いに同一構成なので、ｉ行ｊ列に位置するもので代表して説明すると、当該ｉ行
ｊ列の画素１１０において、ＴＦＴ１１６のゲート電極はｉ行目の走査線１１２に接続さ
れる一方、そのソース電極はｊ列目のデータ線１１４に接続され、そのドレイン電極は画
素容量１２０の一端たる画素電極１１８に接続されている。
また、画素容量１２０の他端はコモン電極１０８である。このコモン電極１０８は、図
１に示されるように全ての画素１１０にわたって共通であり、コモン信号Ｖcomが供給さ
れる。なお、本実施形態においてコモン信号Ｖcomは、後述するように時間的に電圧ＬＣc
omで一定である。
なお、図２において、Ｙｉ、Ｙ（ｉ＋１）は、それぞれｉ、（ｉ＋１）行目の走査線１
１２に供給される走査信号を示し、また、Ｃｉ、Ｃ（ｉ＋１）は、それぞれｉ、（ｉ＋１
）行目の容量線１３２の電圧を示している。
【００１１】
表示領域１００は、画素電極１１８が形成された素子基板とコモン電極１０８が形成さ
れた対向基板との一対の基板同士を、電極形成面が互いに対向するように一定の間隙を保
って貼り合わせるとともに、この間隙に液晶１０５を封止した構成となっている。このた
め、画素容量１２０は、画素電極１１８とコモン電極１０８とで誘電体の一種である液晶
１０５を挟持したものとなり、画素電極１１８とコモン電極１０８との差電圧を保持する
構成となる。この構成において、画素容量１２０では、その透過光量が当該保持電圧の実
効値に応じて変化する。
なお、本実施形態では説明の便宜上、画素容量１２０において保持される電圧実効値が
ゼロに近ければ、光の透過率が最大となって白色表示になる一方、電圧実効値が大きくな
るにつれて透過する光量が減少して、ついには透過率が最小の黒色表示になるノーマリー
ホワイトモードであるとする。
【００１２】
また、ｉ行ｊ列の画素１１０における蓄積容量１３０は、一端が画素電極１１８（ＴＦ
Ｔ１１６のドレイン電極）に接続されるとともに、他端がｉ行目の容量線１３２に接続さ
れている。ここで、画素容量１２０および蓄積容量１３０における容量値を、それぞれＣ
pixおよびＣsとする。
【００１３】
説明を再び図１に戻すと、制御回路２０は、各種の制御信号を出力して電気光学装置１
０における各部の制御等をするとともに、第１目標信号Ｖc1refおよび期間指定信号Ｈaを
、第１容量信号出力回路３１に供給し、第２目標信号Ｖc2refおよび期間指定信号Ｈaを、
第２容量信号出力回路３２に供給し、また、コモン信号Ｖcomをコモン電極１０８に供給
する。
表示領域１００の周辺には、上述したように、走査線駆動回路１４０や、容量線駆動回
路１５０、検出回路１７０、データ線駆動回路１９０などの周辺回路が設けられている。
【００１４】
このうち、走査線駆動回路１４０は、制御回路２０による制御にしたがって、１フレー
ムの期間にわたって走査信号Ｙ１、Ｙ２、Ｙ３、…、Ｙ３２０、Ｙ３２１を、それぞれ１
、２、３、…、３２０、３２１行目の走査線１１２に供給するものである。詳細には、走
査線駆動回路１４０は、走査線１１２を図１において上から数えて１、２、３、…、３２
０、３２１行目という順番で選択して、選択した走査線への走査信号を選択電圧Ｖddに相
当するＨレベルとし、それ以外の走査線への走査信号を非選択電圧（接地電位Ｇnd）に相
当するＬレベルとする。
なお、走査線駆動回路１４０は、図５に示されるように、制御回路２０から供給される
スタートパルスＤyを、クロック信号Ｃlyにしたがって順次シフトすること等によって、
走査信号Ｙ１、Ｙ２、Ｙ３、Ｙ４、…、Ｙ３２０、Ｙ３２１を、この順番で出力する  ま
た、本実施形態において１フレームの期間には、図５に示されるように、走査信号Ｙ１が
Ｈレベルになってから走査信号Ｙ３２０がＬレベルになるまでの有効走査期間Ｆaのほか
、それ以外の帰線期間が含まれる。なお、１行の走査線１１２が選択される期間が水平走
査期間（Ｈ）である。
【００１５】
容量線駆動回路１５０は、本実施形態では、１〜３２０行目の容量線１３２に対応して
設けられたｎチャネル型のＴＦＴ１５１、１５２の組から構成される。ここで、ｉ行目の
容量線１３２に対応するＴＦＴ１５１、１５２について説明すると、当該ＴＦＴ１５１（
第１トランジスタ）のゲート電極は、ｉ行目の走査線１１２に接続され、そのソース電極
は、第１給電線１６５に接続される一方、ＴＦＴ１５２（第２トランジスタ）のゲート電
極は、（ｉ＋１）行目の走査線１１２に接続され、そのソース電極は、第２給電線１６７
に接続されている。そして、ＴＦＴ１５１、１５２のドレイン電極同士がｉ行目の容量線
１３２に共通接続されている。
検出回路１７０は、１〜３２０行目の容量線１３２に対応して設けられたｎチャネル型
のＴＦＴ１７６、１７８の組から構成される。ここで、ｉ行目の容量線１３２に対応する
ＴＦＴ１７６、１７８について説明すると、当該ＴＦＴ１７６のゲート電極は、ｉ行目の
走査線１１２に接続され、そのドレイン電極は、第１検出線１８５に接続される一方、Ｔ
ＦＴ１７８のゲート電極は、（ｉ＋１）行目の走査線１１２に接続され、そのドレイン電
極は、第２検出線１８７に接続されている。そして、ＴＦＴ１７６、１７８のソース電極
同士がｉ行目の容量線１３２に共通接続されている。
【００１６】
このような構成において、ｉ行目の走査線１１２の選択により走査信号ＹｉがＨレベル
になると、ｉ行目のＴＦＴ１５１がオンするので、ｉ行目の容量線１３２が第１給電線１
６５に接続されるとともに、ｉ行目のＴＦＴ１７６がオンするので、ｉ行目の容量線１３
２が第１検出線１８５に接続される。
次の（ｉ＋１）行目の走査線１１２の選択により走査信号Ｙ（ｉ＋１）がＨレベルにな
ると、ｉ行目のＴＦＴ１５１がオフし、ＴＦＴ１５２がオンするので、ｉ行目の容量線１
３２が第２給電線１６７に接続されるとともに、ｉ行目のＴＦＴ１７８がオンするので、
ｉ行目の容量線１３２が第２検出線１８７に接続される。
【００１７】
ここで、第１容量信号出力回路３１について図４を参照して説明する。この図に示され
るように、第１容量信号出力回路３１は、オペアンプ３００と、スイッチ３１１、３１２
と、ＮＯＴ回路３１５と、抵抗器３１６とを有する。
オペアンプ３００の出力端は、第１給電線１６５およびスイッチ３１１の一端に接続さ
れ、第１検出線１８５がスイッチ３１２の一端に接続されている。そして、スイッチ３１
１、３１２の他端は、オペアンプ３００の負入力端にそれぞれ接続されている。一方、オ
ペアンプ３００の正入力端（＋）には、制御回路２０から第１目標信号Ｖc1refが供給さ
れる。そして、オペアンプ３００の出力端と負入力端（−）との間に抵抗器３１６が挿入
されている。
スイッチ３１１、３１２は、制御回路２０による期間指定信号Ｈaの論理レベルに応じ
て互いに排他的にオンオフするものである。詳細には、スイッチ３１１は、期間指定信号
ＨaがＨレベルであればオンし、スイッチ３１２は、期間指定信号Ｈの論理レベルをＮＯ
Ｔ回路３１５によって反転させた信号がＨレベルであればオンする。
期間指定信号Ｈaは、図５に示されるように、水平走査期間（Ｈ）の前半期間において
Ｈレベルとなり、後半期間においてＬレベルとなるので、スイッチ３１１、３１２は、水
平走査期間（Ｈ）の前半期間においてオン、オフする一方、後半期間においてオフ、オン
することになる。
第１給電線１６５と、第１検出線１８５とは、走査信号ＹｉがＨレベルとなっている期
間にわたってｉ行目のＴＦＴ１５１、１７６がオンすることによって、ｉ行目の容量線１
３２を介して互いに接続された状態となる。このため、第１容量信号出力回路３１は、水
平走査期間（Ｈ）の前半期間において第１目標信号Ｖc1refの電圧をバッファリングする
一方、その後半期間において、第１検出線１８５の電圧が、第１目標信号Ｖc1refの電圧
となるように負帰還制御した第１容量信号Ｖc1を出力する。
【００１８】
一方、第２容量信号出力回路３２についても、図４の括弧書で示したように、第１容量
信号出力回路３１と同様な構成である。
第２給電線１６７と、第２検出線１８７とは、走査信号Ｙ（ｉ＋１）がＨレベルとなっ
ている期間にわたってｉ行目のＴＦＴ１５２、１７８がオンすることによって、ｉ行目の
容量線１３２を介して互いに接続された状態となる。このため、第２容量信号出力回路３
２は、水平走査期間（Ｈ）の前半期間において第２目標信号Ｖc2refの電圧をバッファリ
ングする一方、その後半期間において、第２検出線１８７の電圧が、第２目標信号Ｖc2re
fの電圧となるように負帰還制御した第２容量信号Ｖc2を出力する。
なお、抵抗器３１６は、帰還量を規定するが、バッファリング期間では、この抵抗器３
１６の抵抗値が低い方が精度等の面で好ましく、そのためにスイッチ３１１により抵抗器
３１６の両端を短絡する構成となっている。したがって、精度等において問題がなければ
、スイッチ３１１は省略可能である。
【００１９】
したがって、ノイズ等が重畳されなければ、第１容量信号Ｖc1は、第１目標信号Ｖc1re
fの電圧と同視でき、同様に第２容量信号Ｖc2は、第２目標信号Ｖc2refの電圧と同視でき
るので、ｉ行目の容量線１３２は、走査信号ＹｉがＨレベルである期間において第１目標
信号Ｖc1refの電圧となり、走査信号Ｙ（ｉ＋１）がＨレベルである期間において第２目
標信号Ｖc2refの電圧となる。
なお、ｉ行目の容量線１３２は、それ以外の期間では、電気的にどこの部分にも接続さ
れないハイ・インピーダンス状態となる。
【００２０】
さて、説明を図１に戻すと、データ線駆動回路１９０は、走査線駆動回路１４０により
選択される走査線１１２に位置する画素１１０の階調に応じた電圧であって、極性指示信
号Ｐolで指定された極性に応じた電圧のデータ信号に変換して、データ線１１４に供給す
る動作を、選択される走査線１１２に位置する１〜２４０列のそれぞれについて実行する
ものである。
ここで、データ線駆動回路１９０は、縦３２０行×横２４０列のマトリクス配列に対応
した記憶領域（図示省略）を有し、各記憶領域には、それぞれ対応する画素１１０の階調
値（明るさ）を指定する表示データＤaが記憶される。各記憶領域に記憶される表示デー
タＤaは、表示内容に変更が生じた場合に、制御回路２０によってアドレスとともに変更
後の表示データＤaが供給されて書き換えられる。
データ線駆動回路１９０は、選択される走査線１１２に位置する画素１１０の表示デー
タＤaを記憶領域から読み出すとともに、当該読み出した表示データで指定された階調に
応じた電圧であって指定された極性に応じた電圧のデータ信号に変換し、データ線１１４
に供給することとなる。
【００２１】
極性指示信号Ｐolは、Ｈレベルであれば正極性書込を指定し、Ｌレベルであれば負極性
書込を指定する信号であり、本実施形態では図５に示されるように、１フレームの期間に
おいて同一レベルに維持される。このため、本実施形態では、画素への書き込み極性が、
１フレームの期間にわたってすべて同一となる面反転方式となる。また、極性指示信号Ｐ
olは、１フレームの期間毎に論理反転されるが、このように書込極性を反転する理由は、
直流成分の印加による液晶の劣化を防止するためである。
また、第１目標信号Ｖc1refは、極性指示信号ＰolがＬレベルであるときに電圧Ｖslと
なり、極性指示信号ＰolがＨレベルであるときに電圧Ｖshとなる。一方、第２目標信号Ｖ
c2refは、本実施形態では極性指示信号Ｐolの論理レベルにかかわらず、電圧Ｖslで一定
である。なお、本実施形態では、電圧Ｖslと電圧Ｖshとの差をΔＶとしている。
ここで、本実施形態における書込極性については、画素容量１２０に対して階調に応じ
た電圧を保持させる際に、コモン電極１０８の電圧ＬＣcomよりも画素電極１１８の電位
を高位側とする場合を正極性といい、低位側とする場合を負極性という。電圧については
、特に説明のない限り、電源の接地電位Ｇndを論理がＬレベルに相当させるとともに、電
圧ゼロの基準としている。
【００２２】
なお、制御回路２０は、クロック信号Ｃlyの論理レベルが遷移するタイミングにおいて
ラッチパルスＬpをデータ線駆動回路１９０に供給する。上述したように、走査線駆動回
路１４０は、スタートパルスＤyをクロック信号Ｃlyにしたがって順次シフトすること等
によって、走査信号Ｙ１、Ｙ２、Ｙ３、Ｙ４、…、Ｙ３２０、Ｙ３２１を出力するので、
走査線が選択される期間の開始タイミングは、クロック信号Ｃlyの論理レベルが遷移する
タイミングである。したがって、データ線駆動回路１９０は、例えばラッチパルスＬpを
１フレームの期間にわたってカウントし続けることによって何行目の走査線が選択される
のか、および、ラッチパルスＬpの供給タイミングによって、その選択の開始タイミング
を知ることができる。
【００２３】
なお、本実施形態において、素子基板には、表示領域１００における走査線１１２や、
データ線１１４、ＴＦＴ１１６、画素電極１１８、蓄積容量１３０に加えて、容量線駆動
回路１５０におけるＴＦＴ１５１、１５２、第１給電線１６５、第２給電線１６７、検出
回路１７０におけるＴＦＴ１７６、１７８、第１検出線１８５、第２検出線１８７なども
形成される。
【００２４】
図３は、このような素子基板のうち、容量線駆動回路１５０と検出回路１７０と表示領
域１００の周辺付近との構成を示す平面図である。
この図に示されるように、本実施形態では、ＴＦＴ１１６、１５１、１５２、１７６、
１７８は、アモルファスシリコン型であって、そのゲート電極が半導体層よりも下側に位
置するボトムゲート型である。詳細には、第１導電層となるゲート電極層のパターニング
により走査線１１２や容量線１３２などが形成され、その上にゲート絶縁膜（図示省略）
が形成され、さらにＴＦＴ１１６、１５１、１５２、１７６、１７８の半導体層が島状に
形成されている。この半導体層の上には、保護層を介して第２導電層となるＩＴＯ（indi
um tin oxide）層がパターニングされて、矩形形状であって透明性を有する画素電極１１
８が形成され、さらに、第３導電層となるアルミニウムなどの金属層がパターニングにさ
れて、ＴＦＴ１１６、１５１、１５２、１７６、１７８のソース・ドレイン電極や、デー
タ線１１４、第１給電線１６５、第２給電線１６７、第１検出線１８５、第２検出線１８
７等が形成されている。
【００２５】
ここで、容量線駆動回路１５０において、ｉ行目に対応するＴＦＴ１５１のゲート電極
は、ｉ行目の走査線１１２からＹ（下）方向にＴ字状に分岐した部分であり、同じくｉ行
目に対応するＴＦＴ１５２のゲート電極は、（ｉ＋１）行目の走査線１１２からＹ（上）
方向にＴ字状に分岐した部分である。
また、検出回路１７０において、ｉ行目に対応するＴＦＴ１７６のゲート電極は、ｉ行
目の走査線１１２からＹ（下）方向にＴ字状に分岐した部分であり、同じくｉ行目に対応
するＴＦＴ１７８のゲート電極は、（ｉ＋１）行目の走査線１１２からＹ（上）方向にＴ
字状に分岐した部分である。
ｉ行目に対応するＴＦＴ１５１、１５２のドレイン電極１３２ａは、上記第３導電層を
パターニングしたものであり、上記ゲート絶縁膜および保護層を貫通するコンタクトホー
ル（図において×印）１３２ｂを介し、ゲート電極層をパターニングした配線１３２ｃに
接続される。
一方、ｉ行目のＴＦＴ１７６、１７８のソース電極１３２ｅは、上記第３導電層をパタ
ーニングしたものであり、コンタクトホール１３２ｄを介して上記配線１３２ｃに接続さ
れる一方、コンタクトホール１３２ｆを介してｉ行目の容量線１３２に接続されている。
一方、表示領域１００において、蓄積容量１３０は、画素電極１１８の下層において幅
広となるように形成された容量線１３２の部分と当該画素電極１１８とにより上記ゲート
絶縁膜を誘電体として挟持した構成である。このため、蓄積容量１３０の他端は、容量線
１３２そのものとなる。
なお、画素電極１１８と対向するコモン電極１０８は、対向基板に形成されるので、素
子基板の平面図を示す図３には現れない。
【００２６】
図３に示す構成は、あくまでも一例であり、ＴＦＴの型については他の構造、例えばゲ
ート電極の配置でいえばトップゲート型としても良いし、プロセスでいえばポリシリコン
型としても良い。また、容量線駆動回路１５０および検出回路１７０の素子を表示領域１
００と同じプロセスで基板上に造り込むのではなく、ＩＣチップを素子基板側に実装する
構成としても良い。
ＩＣチップを素子基板側に実装する場合、走査線駆動回路１４０、容量線駆動回路１５
０、検出回路１７０を、データ線駆動回路１９０とともに半導体チップとしてまとめても
良いし、それぞれ別々のチップとしても良い。また、制御回路２０については、第１容量
信号出力回路３１および第２容量信号出力回路３２とともに、素子基板に造り込む構成と
しても良い。
また、本実施形態を透過型ではなく反射型とする場合には、画素電極１１８について反
射性の導電層をパターニングしたものとしても良いし、別途の反射性金属層を持たせても
良い。さらに、透過型および反射型の両者を組み合わせた、いわゆる半透過半反射型とし
ても良い。
【００２７】
次に、本実施形態に係る電気光学装置１０の動作について説明する。
上述したように本実施形態では、画素の書込極性を１フレームの期間にわたって同一と
した面反転方式としている。このため、制御回路２０は、極性指示信号Ｐolについて、図
５に示されるように、あるフレーム（「ｎフレーム」と表記している）の期間においてＨ
レベルとして正極性書込を指定し、次の（ｎ＋１）フレームの期間においてＬレベルとし
て負極性書込を指定して、以下同様に１フレームの期間毎に書込極性を反転させる。
【００２８】
まず、制御回路２０は、ｎフレームにおいて、第１目標信号Ｖc1refおよび第２目標信
号Ｖc2refを互いに同一の電圧Ｖslとする。また、ｎフレームにおいては、走査線駆動回
路１４０によって最初に走査信号Ｙ１がＨレベルになる。
一方、走査信号Ｙ１がＨレベルになるタイミングにおいてラッチパルスＬpが出力され
ると、データ線駆動回路１９０は、１行目であって１、２、３、…、２４０列目の画素の
表示データＤaを読み出すとともに、当該表示データＤaで指定された電圧だけ、電圧ＬＣ
comを基準に高位側とした電圧のデータ信号Ｘ１、Ｘ２、Ｘ３、…、Ｘ２４０に変換し、
それぞれ１、２、３、…、２４０列のデータ線１１４に供給する。
これにより例えば、ｊ列目のデータ線１１４には、１行ｊ列の画素１１０の表示データ
Ｄaで指定された電圧だけ電圧ＬＣcomよりも高位側とした正極性の電圧がデータ信号Ｘｊ
として印加される。
さて、走査信号Ｙ１がＨレベルになると、１行１列〜１行２４０列の画素におけるＴＦ
Ｔ１１６がオンするので、これらの画素電極１１８には、データ信号Ｘ１、Ｘ２、Ｘ３、
…、Ｘ２４０が印加される。このため、１行１列〜１行２４０列の画素容量１２０には、
それぞれ階調に応じた正極性の電圧が書き込まれることになる。一方、走査信号Ｙ１がＨ
レベルであれば、容量線駆動回路１５０では、１行目に対応するＴＦＴ１５１がオンする
が、ＴＦＴ１５２がオフであるので（走査信号Ｙ２はＬレベルであるので）、当該１行目
の容量線１３２は、第１給電線１６５に接続された状態となって電圧Ｖslとなる。このた
め、１行１列〜１行２４０列の蓄積容量１３０には、それぞれ階調に応じた正極性電圧と
電圧Ｖslとの差電圧が書き込まれることになる。
【００２９】
次に走査信号Ｙ１がＬレベルになるとともに、走査信号Ｙ２がＨレベルになる。
走査信号Ｙ１がＬレベルになると、１行１列〜１行２４０列の画素におけるＴＦＴ１１
６がオフする。また、走査信号Ｙ１がＬレベル、走査信号Ｙ２がＨレベルであれば、容量
線駆動回路１５０では、１行目に対応するＴＦＴ１５１がオフし、ＴＦＴ１５２がオンす
るので、当該１行目の容量線１３２は第２給電線１６７に接続された状態となるが、正極
性書込を指定するｎフレームにおいては、当該第２給電線１６７は第１給電線１６５と同
じ電圧Ｖslであるために電位変動しない。
このため、極性指示信号ＰolがＨレベルあって正極性書込が指示されていれば、走査信
号Ｙ２がＨレベルになっても、１行１列〜１行２４０列の画素容量１２０および蓄積容量
１３０においてそれぞれ保持された電圧に変化は生じない。
【００３０】
一方、走査信号Ｙ２がＨレベルになるタイミングにおいてラッチパルスＬpが出力され
ると、データ線駆動回路１９０は、２行目であって１、２、３、…、２４０列目の画素の
階調に応じた正極性電圧のデータ信号Ｘ１、Ｘ２、Ｘ３、…、Ｘ２４０を、それぞれ１、
２、３、…、２４０列のデータ線１１４に供給する。走査信号Ｙ２がＨレベルになると、
２行１列〜２行２４０列の画素におけるＴＦＴ１１６がオンするので、これらの画素電極
１１８には、データ信号Ｘ１、Ｘ２、Ｘ３、…、Ｘ２４０が印加される結果、１行１列〜
１行２４０列の画素容量１２０には、それぞれ階調に応じた正極性電圧が書き込まれるこ
とになる。
なお、走査信号Ｙ２がＨレベルであれば、容量線駆動回路１５０では、２行目に対応す
るＴＦＴ１５１がオンするが、ＴＦＴ１５２がオフであるので（走査信号Ｙ３はＬレベル
であるので）、当該２行目の容量線１３２は電圧Ｖslとなり、このため、２行１列〜２行
２４０列の蓄積容量１３０には、それぞれ階調に応じた正極性電圧と電圧Ｖslとの差電圧
が書き込まれることになる。
【００３１】
次に走査信号Ｙ２がＬレベルになるとともに、走査信号Ｙ３がＨレベルになる。
走査信号Ｙ２がＬレベルになると、容量線駆動回路１５０では、１行目に対応するＴＦ
Ｔ１５１がオフし、ＴＦＴ１５２もオフするので、当該１行目の容量線１３２は、ハイ・
インピーダンス状態となるが、その寄生容量によってＴＦＴ１５２のオフ直前の状態であ
る電圧Ｖslに保持されるため、１行１列〜１行２４０列の画素容量１２０および蓄積容量
１３０において保持された電圧は以後についても変化が生じないことになる。結局、１行
１列〜１行２４０列の画素容量１２０は、それぞれ走査信号Ｙ１がＨレベルとなったとき
に画素電極１１８に印加されたデータ信号の電圧とコモン電極１０８の電圧ＬＣcomとの
差電圧、すなわち、階調に応じた電圧を保持し続けることになる。
また、走査信号Ｙ３がＨレベルになるタイミングにおいてラッチパルスＬpが出力され
ると、データ線駆動回路１９０は、３行目であって１、２、３、…、２４０列目の画素の
階調に応じた正極性電圧のデータ信号Ｘ１、Ｘ２、Ｘ３、…、Ｘ２４０を、それぞれ１、
２、３、…、２４０列のデータ線１１４に供給する。これにより、３行１列〜３行２４０
列の画素容量１２０には、それぞれ階調に応じた正極性の電圧が書き込まれることになる
。
なお、走査信号Ｙ３がＨレベルであれば、容量線駆動回路１５０では、３行目に対応す
るＴＦＴ１５１がオンするが、ＴＦＴ１５２がオフであるので（走査信号Ｙ４はＬレベル
であるので）、当該３行目の容量線１３２は電圧Ｖslとなる。このため、３行１列〜３行
２４０列の蓄積容量１３０には、それぞれ階調に応じた正極性電圧と電圧Ｖslとの差電圧
が書き込まれることになる。
【００３２】
極性指示信号ＰolがＨレベルとなるｎフレームの期間では、以下同様な動作が、走査信
号Ｙ３２１がＨレベルとなるまで繰り返され、これにより、すべての画素容量１２０は、
画素電極１１８に印加されたデータ信号の電圧とコモン電極１０８の電圧ＬＣcomとの差
電圧を保持することになって、当該保持した電圧に応じた階調となる。
【００３３】
次に、制御回路２０は、極性信号ＰolがＬレベルとなる（ｎ＋１）フレームの動作につ
いて説明する。
この（ｎ＋１）フレームの動作は、主に次の２点においてｎフレームの動作と相違する
。すなわち、第１に、制御回路２０は、第１目標信号Ｖc1refを、図５に示されるように
、電圧ＶslよりもΔＶだけ高い電圧Ｖshとする点と、第２に、走査信号ＹｉがＨレベルに
なるタイミングにおいてラッチパルスＬpが出力されると、データ線駆動回路１９０は、
ｉ行目であって、１、２、３、…、２４０列目の画素の表示データＤaを読み出す点まで
ｎフレームと一緒であるが、データ信号Ｘ１、Ｘ２、Ｘ３、…、Ｘ２４０として、当該表
示データＤaに対応し、かつ、負極性に対応した電圧（この意味については後述する）と
する点とにおいてｎフレームの動作と相違する。
そこで、（ｎ＋１）フレームにおける動作については、この相違点を中心にしつつ、走
査信号ＹｉがＨレベルとなったときにｉ行ｊ列の画素容量１２０に書き込んだ電圧が、走
査信号Ｙ（ｉ＋１)がＨレベルとなったときにどのように変化するのか、という観点で説
明することにする。
【００３４】
図６は、（ｎ＋１）フレームにおけるｉ行ｊ列の画素容量１２０の電圧変化を説明する
ための図である。
まず、走査信号ＹｉがＨレベルになると、図６（ａ）に示されるように、ｉ行ｊ列のＴ
ＦＴ１１６がオンするので、データ信号Ｘｊが画素容量１２０の一端（画素電極１１８）
と蓄積容量１３０の一端とにそれぞれ印加される。一方、走査信号ＹｉがＨレベルであれ
ば、容量線駆動回路１５０においてｉ行目に対応するＴＦＴ１５１がオンし、ＴＦＴ１５
２がオフを維持するので、ｉ行目の容量線１３２の電圧Ｃｉは、第１給電線１６５の電圧
Ｖshとなる。なお、コモン電極１０８は電圧ＬＣcomで一定である。
したがって、このときのデータ信号Ｘｊの電圧をＶｊとすれば、ｉ行ｊ列における画素
容量１２０には電圧（Ｖｊ−ＬＣcom）が充電され、蓄積容量１３０には電圧（Ｖｊ−Ｖs
h）が充電される。
【００３５】
次に、走査信号ＹｉがＬレベルになると、図６（ｂ）に示されるように、ｉ行ｊ列のＴ
ＦＴ１１６がオフする。また、走査信号ＹｉがＬレベルになると、次の走査信号Ｙ（ｉ＋
１）がＨレベルになるので（図６（ｂ）においては（ｉ＋１）行を図示省略）、容量線駆
動回路１５０においてｉ行目に対応するＴＦＴ１５１がオフ、ＴＦＴ１５２がオンする。
このため、ｉ行目の容量線１３２の電圧Ｃｉは、第２給電線１６７の電圧Ｖslとなり、走
査信号ＹｉがＨレベルであったときと比較すると、電圧ΔＶだけ低下するが、コモン電極
１０８は電圧ＬＣcomで一定である。したがって、画素容量１２０に蓄えられた電荷は、
蓄積容量１３０に移動するので、画素電極１１８の電圧が低下する。
詳細には、画素容量１２０と蓄積容量１３０との直列接続において、画素容量１２０の
他端（コモン電極）が電圧一定に保たれたまま、蓄積容量１３０の他端が電圧ΔＶだけ低
下するので、画素電極１１８の電圧も低下する。
このため、当該直列接続点である画素電極１１８の電圧は、
Ｖｊ−｛Ｃs／（Ｃs＋Ｃpix）｝・ΔＶ
となり、走査信号ＹｉがＨレベルであったときのデータ信号の電圧Ｖｊよりも、ｉ行目
の容量線１３２の電圧変化分ΔＶに、画素容量１２０および蓄積容量１３０の容量比｛Ｃ
s／（Ｃs＋Ｃpix）｝を乗じた値だけ低下することになる。
換言すれば、ｉ行目の容量線１３２の電圧ＣｉがΔＶだけ低下すると、画素電極１１８
の電圧は、走査信号ＹｉがＨレベルであったときのデータ信号の電圧Ｖｊよりも、｛Ｃs
／（Ｃs＋Ｃpix）｝・ΔＶ（＝ΔＶpixとする）だけ低下することになる。ただし、各部
の寄生容量は無視している。
【００３６】
ここで、負極性書込が指定される（ｎ＋１）フレームにおいて、走査信号ＹｉがＨレベ
ルのときのデータ信号Ｘｊは、画素電極１１８が電圧ΔＶpixだけ低下することを見越し
た電圧Ｖｊに設定される。すなわち、低下した後の画素電極１１８の電圧がコモン電極１
０８の電圧ＬＣcomよりも低位であって両者の差電圧がｉ行ｊ列の階調に応じた値となる
ように設定される。
【００３７】
詳細には、本実施形態では、図８に示されるように、正極性書込となるｎフレームにお
いて、データ信号が白色ｗに相当する電圧Ｖw(+)から黒色ｂに相当する電圧Ｖb(+)までの
範囲ａであって、階調が低く（暗く）なるにつれて電圧ＬＣcomよりも高位側の電圧とな
る場合に、負極性書込となる（ｎ＋１）フレームにおいて画素を白色ｗするときには電圧
Ｖb(+)とし、画素を黒色ｂとする場合には電圧Ｖw(+)となるように設定して、正極性の電
圧範囲ａと同一であって、その階調関係を逆転させた設定とする。第２に、（ｎ＋１）フ
レームにおいてデータ信号の電圧を書き込んだ後に、画素電極１１８が電圧ΔＶpixだけ
低下したとき、当該画素電極１１８の電圧が負極性の白色に相当する電圧Ｖw(-)から黒色
に相当する電圧Ｖb(-)までの範囲ｃであって、電圧ＬＣcomを基準にして正極性の電圧と
対称となるように、容量線１３２の電圧ΔＶの低下分を設定する。
これにより、負極性書込を指定する（ｎ＋１）フレームにおいて、電圧ΔＶpixだけ低
下したときの画素電極１１８の電圧は、階調に応じた負極性の電圧範囲ｃであって、階調
が低く（暗く）なるにつれて電圧ＬＣcomよりも低位側の電圧にシフトする。
【００３８】
なお、図６では、ｉ行ｊ列の画素容量１２０および蓄積容量１３０について説明してい
たが、同様な動作は、走査線１１２および容量線１３２を兼用するｉ行について同様に実
行される。また、（ｎ＋１）フレームにおいては、ｎフレームと同様に、走査信号Ｙ１、
Ｙ２、Ｙ３、…、Ｙ３２０、Ｙ３２１が順番にＨレベルとなるので、各行における動作は
、１、２、３、…、３２０行の画素についても順番に実行される。
【００３９】
したがって、本実施形態では、負極性書込を指定する（ｎ＋１）フレームにおけるデー
タ線の電圧範囲ａは、正極性書込を指定するｎフレームと同じであるが、シフト後におけ
る画素電極１１８の電圧が、階調に応じた負極性電圧となる。これにより、本実施形態に
よれば、データ線駆動回路１９０を構成する素子の耐圧が狭くて済むだけでなく、容量が
寄生するデータ線１１４における電圧振幅も狭くなるので、その寄生容量により無駄に電
力が消費されることもなくなる。
すなわち、コモン電極１０８が電圧ＬＣcomに保たれるとともに、容量線１３２の電圧
を、各フレームにわたって一定とした構成において、画素容量１２０を交流駆動する場合
、画素電極１１８に、あるフレームにおいて階調に応じて正極性の電圧Ｖw(+)から電圧Ｖ
b(+)までの範囲の電圧で書き込んだときには、階調に変化がなければ、次のフレームにお
いて負極性に対応した電圧Ｖw(-)から電圧Ｖb(-)までの範囲であって、電圧ＬＣcomを基
準に反転させた電圧を書き込まなければならない。このため、コモン電極１０８の電圧が
一定である構成において、容量線１３２の電圧一定としたとき、データ信号の電圧が図に
おいて範囲ｂにわたるので、データ線駆動回路１９０を構成する素子の耐圧も範囲ｂに対
応させる必要がある。さらに、容量が寄生するデータ線１１４において範囲ｂで電圧が変
化すると、その寄生容量により無駄に電力が消費されることにもなるが、本実施形態では
、このような不都合が解消されるのである。
【００４０】
さらに、本実施形態によれば、図７に示されるように、正極性書込を指示するフレーム
においてｉ行目の容量線１３２の電圧Ｃｉは、走査信号ＹｉがＨレベルになったときにＴ
ＦＴ１５１がオンすることにより第１給電線１６５の電圧Ｖslとなり、その次の走査信号
Ｙ（ｉ＋１）がＨレベルになったときにＴＦＴ１５２がオンすることにより第２給電線１
６７の電圧Ｖslとなる。このため、ｉ行目の容量線１３２の電圧Ｃｉは、正極性書込を指
示するフレームにおいて走査信号Ｙ（ｉ＋１）がＨレベルになったタイミングでは電圧変
化しない。
一方、負極性書込を指示するフレームにおいてｉ行目の容量線１３２の電圧Ｃｉは、走
査信号ＹｉがＨレベルになったときにＴＦＴ１５１がオンすることにより第１給電線１６
５の電圧Ｖshとなり、その次の走査信号Ｙ（ｉ＋１）がＨレベルになったときにＴＦＴ１
５２がオンすることにより第２給電線１６７の電圧Ｖslとなる。このため、ｉ行目の容量
線１３２の電圧Ｃｉは、負極性書込を指示するフレームにおいて走査信号Ｙ（ｉ＋１）が
Ｈレベルになったタイミングにて電圧ΔＶだけ低下する。
本実施形態では、このように１行分の容量線１３２を駆動するのに、２つのＴＦＴ１５
１、１５２で足り、さらに、別途の制御信号や制御電圧も不要である。このため、各行に
対応した容量線１３２を駆動する容量線駆動回路１５０の構成が複雑化を回避することも
可能である。
なお、図７は、走査信号と容量線と画素電極との電圧関係を示す図であり、ｉ行ｊ列の
画素電極１１８の電圧変化をＰix（i,j)で示している。
【００４１】
ここで、正極性書込が指定されたときのデータ信号の電圧範囲と、負極性書込が指定さ
れたときのデータ信号の電圧範囲とを一致させたが、完全に一致させなくもても、容量線
１３２の電圧変化によりデータ信号の電圧振幅を抑えることはできる。
【００４２】
ところで、走査信号ＹｉがＨレベルになると、ｉ行目に対応するＴＦＴ１１６のオンに
より、画素容量１２０と蓄積容量１３０とでは、それぞれデータ信号に応じた電圧が充電
される。このとき、蓄積容量１３０への充電電流は、ｉ行目の容量線１３２を介して、オ
ンしたＴＦＴ１５１に流れることになる。ここで、ＴＦＴ１５１のオン抵抗が高いと、ｉ
行目の容量線１３２にノイズが発生する可能性がある。
一方、容量線１３２は、１〜２４０列のデータ線１１４とゲート絶縁膜や保護層を介し
て交差する。このため、これらのデータ線１１４の電圧、すなわち、データ信号Ｘ１〜Ｘ
２４０の変化が、寄生容量を介して容量線１３２に伝搬して、ノイズを発生させることに
なる。
このように各容量線１３２は、主に２つの要因でノイズが発生する。なお、この２つの
要因のうち、どちらが支配的であるかについては、パネルの構成や駆動方法などの様々な
条件が絡み合うので、一概には言えないが、いずれにしても各容量線１３２ではノイズが
発生する、ということができる。
【００４３】
ここで、負極性書込が指定される（ｎ＋１）フレームにおいて、ノイズが発生して、水
平走査期間（Ｈ）の終了時、すなわち、いずれかの走査線１１２が選択される期間の終了
時に、ｉ行目の容量線１３２が、電圧Ｖshまたは電圧Ｖslからズレてしまうと、走査信号
ＹｉがＨレベルとなる期間から走査信号Ｙ（ｉ＋１）がＨレベルとなる期間にかけて、正
しく電圧ΔＶだけ変化しないことになる。
例えば図７に示されるように、ｉ行目の容量線１３２の電圧Ｃｉが、走査信号ＹｉがＨ
レベルとなる期間の終了時に電圧Ｖshからズレて電圧ｐとなった場合、走査信号ＹｉがＨ
レベルとなる期間から走査信号Ｙ（ｉ＋１）がＨレベルとなる期間にかけて、電圧ΔＶで
はなく、電圧（ΔＶ＋ΔＶp）だけ変化してしまうことなる。なお、図において、電圧Δ
Ｖpは、電圧Ｖshから電圧ｐにズレたことによる電圧変化分である。
【００４４】
ここで、ｉ行ｊ列の画素について検討すると、走査信号ＹｉがＨレベルとなる期間にお
いてデータ信号Ｘｊが電圧Ｖｊであるとき、走査信号Ｙ（ｉ＋１）がＨレベルとなる期間
にかけてｉ行目の容量線１３２が電圧（ΔＶ＋ΔＶp）だけ低下してしまうと、画素電極
１１８の電圧は、
Ｖｊ−｛Ｃs／（Ｃs＋Ｃpix）｝・（ΔＶ＋ΔＶp）
となり、本来の電圧よりも、
｛Ｃs／（Ｃs＋Ｃpix）｝・ΔＶp
だけ過剰に低下して、この電圧に応じた階調となってしまう。
この現象は、ｉ行ｊ列だけでなく、ｉ行目の容量線１３２に対応する画素１行分につい
て同様に発生するので、横方向横方向の表示むらとなって視認されることになる。
なお、電圧ΔＶpは、ｉ行目の走査線１１２が選択される期間におけるデータ信号Ｘ１
〜Ｘ２４０の電圧変化、すなわち、ｉ行１列からｉ行２４０列までの画素による表示内容
に依存する。このため、表示内容によって画素電極の電圧が変化して、横方向の表示むら
が発生することになる。
ここでは、電圧Ｃｉが、走査信号ＹｉがＨレベルとなる期間の終了時に電圧Ｖshから電
圧ｐにずれた場合について説明しているが、電圧Ｖshからずれなくても、走査信号Ｙ（ｉ
＋１）がＨレベルとなる期間の終了時に電圧Ｖslから電圧ｑにずれてしまえば、同様な問
題が発生する。
【００４５】
本実施形態では、走査信号ＹｉがＨレベルとなる期間についてはＴＦＴ１７６をオンさ
せることによってｉ行目の容量線１３２が第１検出線１８５に接続される。これにより、
第１容量信号出力回路３１は、第１検出線１８５を介して検出した容量線１３２の電圧が
第１目標信号Ｖc1refの電圧となるように、第１容量信号Ｖc1を第１給電線１６５に出力
するので、（ｎ＋１）フレームにおいて走査信号ＹｉがＨレベルとなる期間で、ｉ行目の
容量線１３２は、電圧Ｖshに保たれることになる。
さらに、次の水平走査期間（Ｈ）である走査信号Ｙ（ｉ＋１）がＨレベルとなる期間に
ついてはＴＦＴ１７８をオンさせることによってｉ行目の容量線１３２が第２検出線１８
７に接続される。これにより、第２容量信号出力回路３２は、第２検出線１８７を介して
検出した容量線１３２の電圧が第２目標信号Ｖc2refの電圧となるように、第２容量信号
Ｖc2を第２給電線１６７に出力するので、（ｎ＋１）フレームにおいて走査信号Ｙ（ｉ＋
１）がＨレベルとなる期間で、ｉ行目の容量線１３２は、電圧Ｖslに保たれることになる
。
したがって、ｉ行目の容量線１３２は、走査信号ＹｉがＨレベルとなる期間から走査信
号Ｙ（ｉ＋１）がＨレベルとなる期間にかけて、正しく電圧ΔＶだけ変化することになる
。
ここではｉ行目について代表して説明しているが、１〜２４０行目のすべての容量線１
３２についても同様である。したがって、本実施形態では、横方向の表示むらの発生を抑
えることが可能となる。
【００４６】
なお、ＴＦＴ１５１のオン抵抗を小さくすれば、容量線１３２に発生するノイズを小さ
くすることができるが、そのためには、ＴＦＴ１５１のトランジスタサイズを大きくする
必要がある。ＴＦＴ１５１のトランジスタサイズを大きくすると、素子基板に造り込む構
成において、表示領域１００よりも外側の領域がＴＦＴ１５１の分だけ必要となるが、こ
の外側領域は、表示に寄与しないので、表示装置としてみた場合にデッドスペースとなり
、１枚のマザー基板からの取り数を低下させる結果、最終的には、コストアップを招くこ
とになる。
【００４７】
一方、負極性書込が指定される（ｎ＋１）フレームにおいて、水平走査期間（Ｈ）の開
始時は、データ信号Ｘ１〜Ｘ２４０の電圧が変化した直後であるから（または、ＴＦＴ１
５１がオンした直後であるから）、ノイズが比較的大きいと考えられる。このため、第１
容量信号出力回路３１において、水平走査期間（Ｈ）の開始時から負帰還制御を行うよう
な構成を採用すると、ノイズを相殺しようとするため、オペアンプ３００の消費電力が大
きくなったり、比較的大きなノイズに対して誤作動しなうようにするために、オペアンプ
３００の回路規模や自己消費電力が大きくなってしまったりする可能性がある。
そこで、本実施形態の第１容量信号出力回路３１では、水平走査期間（Ｈ）の前半期間
において、スイッチ３１１、３１２をそれぞれオン、オフさせることによって、第１目標
信号Ｖc1refを単にバッファリングした第１容量信号Ｖc1を出力することになる（このた
め、前半期間では、ノイズの発生は抑えられない）。
ただし、第１容量信号出力回路３１では、水平走査期間（Ｈ）の後半期間において、ス
イッチ３１１、３１２をそれぞれオフ、オンさせることによって、第１検出線１８５の電
圧が第１目標信号Ｖc1refの電圧となるように負帰還制御して第１容量信号Ｖc1を出力す
る構成となっているので、この後半期間においてノイズの発生が抑えられることになる。
第２容量信号出力回路３２も同様な構成であることは上述した通りである。
すなわち、負極性書込が指定される（ｎ＋１）フレームにおいて、ノイズが発生しても
、水平走査期間（Ｈ）の終了時までに減衰して目標電圧に達していれば、走査信号Ｙｉが
Ｈレベルとなる期間から走査信号Ｙ（ｉ＋１）がＨレベルとなる期間にかけて電圧ΔＶだ
け変化するので、本実施形態では、水平走査期間の前半期間においてはノイズの発生を許
容しつつ、水平走査期間の後半期間においてはノイズの影響を抑える構成を採用している
のである。
これにより、本実施形態では、第１容量信号出力回路３１および第２容量信号出力回路
３２における回路規模の肥大化防止と、これら回路における低消費電力化との両立を図る
ことが可能となる。
なお、例えば電気光学装置の規模が小型化されたために、蓄積容量１３０の容量値Ｃs
が小さければ、水平走査期間（Ｈ）の開始時からオペアンプ３００の開始時から負帰還制
御を行うような構成としても良い。この構成では、期間指定信号Ｈaを生成する必要がな
くなるだけでなく、スイッチ３１１、３１２、ＮＯＴ回路３１５が不要となるので、その
分、回路構成を簡素化することが可能となる。
【００４８】
なお、第１実施形態では、ｉ行目の容量線１３２についてみたとき、走査信号ＹｉがＨ
レベルとなる期間の電圧Ｃｉを第１目標信号Ｖc1refの電圧とするだけでなく、次の走査
信号Ｙ（ｉ＋１）がＨレベルとなる期間の電圧Ｃｉについても第２目標信号Ｖc2refの電
圧とする構成とした。ただし、両者の重要度は同じではなく、時間的後方である方が、ノ
イズの減衰が進行しているであろう、と考えると、後者の、第２容量信号出力回路３２を
省略することは可能である。第２容量信号出力回路３２を省略する場合には、第２目標信
号Ｖc2refをそのまま第２容量信号Ｖc2として出力すれば良い。
【００４９】
また、第１実施形態では、第２容量信号Ｖc2を電圧Ｖslで一定とすることによって、正
極性書込を指定するｎフレームにおいて走査信号Ｙ（ｉ＋１）がＨレベルになったときに
、ｉ行目の容量線１３２の電圧を変化させない一方、負極性書込を指定する（ｎ＋１）フ
レームにおいて走査信号Ｙ（ｉ＋１）がＨレベルになったときに、ｉ行目の容量線１３２
を電圧ΔＶだけ低下させて、走査信号ＹｉがＨレベルであったときに書き込んだ画素電極
１１８を電圧ΔＶpixだけ低下させたが、これとは反対としても良い。
すなわち、図９に示されるように、第２容量信号を電圧Ｖshで一定とすることによって
、負極性書込を指定するフレームにおいて走査信号Ｙ（ｉ＋１）がＨレベルになったとき
に、ｉ行目の容量線１３２の電圧を変化させない一方、正極性書込を指定するフレームに
おいて走査信号Ｙ（ｉ＋１）がＨレベルになったときに、ｉ行目の容量線１３２を電圧Δ
Ｖだけ上昇させて、走査信号ＹｉがＨレベルであったときに書き込んだ画素電極１１８を
電圧ΔＶpixだけ上昇させる構成としても良い。
この構成において、データ信号の電圧関係は、図８（ａ）および図８（ｂ）を、電圧Ｌ
Ｃcomを基準に反転させるとともに、正極性書込を負極性書込に、負極性書込を正極性書
込に、それぞれ読み替えれば良い。
【００５０】
さらに、この説明では、１フレームの期間において画素に書き込む極性をすべて同一と
し、この書込極性を１フレームの期間毎に反転させた面反転方式としたが、１行毎に書込
極性を反転する走査線（ライン）反転方式としても良い。
走査線反転方式とする場合、極性指示信号Ｐolは、図１０に示されるように、水平走査
期間（Ｈ）毎に反転するとともに、隣接するフレーム同士において、同一の走査信号がＨ
レベルとなる（同一の走査線が選択される）期間でみたときにも反転した関係となる。
また、第１容量信号Ｖc1は、極性指示信号ＰolがＨレベルであるときに電圧Ｖslとなり
、極性指示信号ＰolがＬレベルであるときに電圧Ｖshとなる。
これにより、図１０のｎフレームにおいて、奇数（１、３、５、…、３１９）行の容量
線１３２は、次の偶数（２、４、６、…、３２０）行の走査線１１２への走査信号がＨレ
ベルになっても電圧変化しないが、偶数行の容量線１３２は、次の奇数行の走査線１１２
への走査信号がＨレベルになったときに、電圧ΔＶだけ低下する。したがって、図１０の
ｎフレームにおいて奇数行では図８（ａ）と同様な正極性書込が実行される一方、偶数行
では図８（ｂ）と同様な負極性書込が実行される。
一方、図１０の（ｎ＋１）フレームにおいて、奇数行の容量線１３２は、次の偶数行の
走査線１１２への走査信号がＨレベルになったときに、電圧ΔＶだけ低下するが、偶数行
の容量線１３２は、次の奇数行の走査線１１２への走査信号がＨレベルになっても電圧変
化しない。したがって、図１０の（ｎ＋１）フレームにおいて奇数行では図８（ｂ）と同
様な負極性書込が実行される一方、偶数行では図８（ａ）と同様な正極性書込が実行され
る。
なお、図１０においては、第２容量信号Ｖc2を電圧Ｖslとしたが、電圧Ｖshとして、容
量線１３２の電圧をΔＶだけ上昇させる構成としても良い。
【００５１】
また、このように走査線反転方式とする場合に、図１１に示されるように、第２容量信
号Ｖc2を電圧ＬＣcomで一定としても良い。
第２容量信号Ｖc2を電圧ＬＣcomで一定とした場合、図１１のｎフレームにおいて、奇
数行の容量線１３２は、次の偶数行の走査線１１２への走査信号がＨレベルになったとき
に、電圧Ｖslから電圧ＬＣcomに上昇し、偶数行の容量線１３２は、次の奇数行の走査線
１１２への走査信号がＨレベルになったときに、電圧Ｖshから電圧ＬＣcomに下降する一
方、（ｎ＋１）フレームにおいて、奇数行の容量線１３２は、次の偶数行の走査線１１２
への走査信号がＨレベルになったときに、電圧Ｖshから電圧ＬＣcomに下降し、偶数行の
容量線１３２は、次の奇数行の走査線１１２への走査信号がＨレベルになったときに、電
圧Ｖslから電圧ＬＣcomに上昇する。
ここで、電圧Ｖslから電圧ＬＣcomへの上昇分と、電圧ＬＣcomから電圧Ｖslへの変化分
を等しくΔＶとしたとき、図１２に示されるように、ｉ行目の画素電極では、走査信号Ｙ
ｉがＨレベルになったときに書き込んだ電圧を、走査信号Ｙ（ｉ＋１）がＨレベルになっ
たときにｉ行目の容量線１３２を電圧ΔＶだけ変化させることによって電圧ΔＶpixだけ
シフトさせる動作が、正極性書込と負極性書込とで１フレームの期間毎に交互に実行され
る。
【００５２】
ここで、データ信号は、正極性書込が指定されたときの電圧範囲ａに、負極性書込が指
定されたときの電圧範囲を一致させるようにすれば、図５と同様な効果を奏する。すなわ
ち、図１３に示されるように、正極性書込となるｎフレームにおいて、電圧範囲ａの中心
が電圧ＬＣcomに一致するように設定するとともに、電圧ΔＶpixだけ上昇したときに、電
圧Ｖw(+)から電圧Ｖb(+)までの範囲にシフトし、電圧ΔＶpixだけ下降したときに、電圧
Ｖw(-)から電圧Ｖb(-)までの範囲にシフトするように電圧ΔＶ（＝Ｖsh−ＬＣcom＝ＬＣc
om−Ｖsl）を設定すれば良い。
ただし、図１３における電圧範囲ａは、正極性書込が指定される場合、白色ｗ側が低位
となり黒色ｂ側が高位となるが、負極性書込が指定される場合、白色ｗ側が高位となり黒
色ｂ側が低位となり、階調の関係が逆転する。
なお、正極性書込が指定されたときのデータ信号の電圧範囲と、負極性書込が指定され
たときのデータ信号の電圧範囲とを一致させなくても、容量線１３２の電圧変化によりデ
ータ信号の電圧振幅を抑えることはできる。
【００５３】
ところで、図３に示されるように、第１給電線１６５と第２給電線１６７とは、走査線
１１２と（絶縁を保った上で）交差するために寄生容量が発生する。したがって、第１給
電線１６５と第２給電線１６７との電位が変化すると、この寄生容量によって無駄な電力
が消費されることになる。一般に、この寄生容量をＣ、変化電圧をＶ、変化頻度（周波数
）をｆとすると、消費電力はＣＶ２ｆで表せる。そこで、図１４に示されるように、第２
容量信号Ｖc2の電圧波形を第１容量信号Ｖc1と同じとし、その電圧振幅を、図４における
第１容量信号Ｖc1の半分にする。すると、図１０（図１１）の場合と同様に、正極性書込
と負極性書込とを走査線毎に交互に実行する走査線反転方式が行われることになる。
ここで、第１給電線１６５と第２給電線１６７との寄生容量による消費電力は、それぞ
れ、
Ｃ（Ｖ／２）２ｆ
となるが、第１給電線１６５と第２給電線１６７との両方が変化するので、結局、
２Ｃ（Ｖ／２）２ｆ＝（１／２）ＣＶ２ｆ
となって、図１０の場合に比べて、第１給電線１６５と第２給電線１６７とによる消費
電力を半減することが出来る。
なお、第１容量信号Ｖc1、第２容量信号Ｖc2を図１４に示されるように変化させた場合
に、データ信号の電圧は、例えば図１３に示されるように電圧範囲を規定すれば良い。
【００５４】
一方、図３に示されるように、容量線１３２は、第２給電線１６７と（絶縁を保った上
で）交差するが、第１給電線１６５とは交差しない。ただし、図３に示される構成以外の
構成をとった場合（例えば、容量線１３２が、第２給電線１６７のみならず、第１給電線
１６５とも交差するような構成をとった場合）、容量線１３２は、第１給電線１６５と第
２給電線１６７との双方に対し、それぞれ寄生容量を介して電気的に結合することになる
。
特に、本実施形態において、走査信号Ｙｉ、Ｙ（ｉ＋１）がいずれもＬレベルであれば
、ｉ行目の容量線１３２は、ハイ・インピーダンス状態となるので、第１給電線１６５、
第２給電線１６７が電圧変化した場合、その電圧変化が寄生容量を介して容量線１３２に
伝搬して、ハイ・インピーダンス状態の電位を変動させてしまう可能性がある。走査信号
Ｙｉ、Ｙ（ｉ＋１）がいずれもＬレベルである場合に、ｉ行目の容量線１３２が電位変動
すると、画素容量１２０において蓄積された電荷が移動して、階調に応じた電圧から外れ
てしまうので、このような電圧変動はできるだけ抑えたい。
そこで、特に図に示さないが、ｉ行目のＴＦＴ１５１のゲート電極を（ｉ＋１）行目の
走査線１１２ではなく、もう１行下の（ｉ＋２）行目の走査線１１２に接続した構造にし
た上で、図１５に示されるように、第１容量信号Ｖc1として、極性指示信号ＰolがＨレベ
ルであるときに電圧Ｖslとし、極性指示信号ＰolがＬレベルであるときに電圧Ｖshとした
ときに、第２容量信号Ｖc2の電圧として、第１容量信号Ｖc1の電圧Ｖsl、Ｖshを入れ替え
た関係としても良い。
なお、第１容量信号Ｖc1、第２容量信号Ｖc2を図１５に示されるように変化させた場合
に、データ信号の電圧は、例えば図１３に示されるように、電圧範囲を規定すれば良い。
【００５５】
このように、第１容量信号Ｖc1が電圧Ｖslであるときに第２容量信号Ｖc2が電圧Ｖshと
なり、第１容量信号Ｖc1が電圧Ｖshであるときに第２容量信号Ｖc2が電圧Ｖslとなるよう
な相補的な関係に設定すると、第１容量信号Ｖc1の電圧が変化するときには、第２容量信
号Ｖc2が同じ電圧だけ反対方向に変化する。
このため、容量線１３２と第１給電線１６５との寄生容量と、容量線１３２と第２給電
線１６７との寄生容量とが同一であれば、第１給電線１６５の電圧変化が容量線１３２に
及ぼす影響は、第２給電線１６７の電圧変化が容量線１３２に及ぼす影響により相殺され
るので、ハイ・インピーダンス状態における容量線１３２の電位変動を抑えることができ
る。
【００５６】
なお、図１５に示されるようにした場合、ｉ行目の容量線１３２の電圧ΔＶは、第１容
量信号Ｖc1と第２容量信号Ｖc2との相対変化で決まる。このため、第２容量信号Ｖc2の電
圧を一定として第１容量信号Ｖc1の電圧を変化させたときの構成（図５、図９、図１０、
図１１）と比較して、容量信号の振幅が半分となる（この点については、図１４も同様で
ある）。
なお、容量線１３２と第１給電線１６５との寄生容量と、容量線１３２と第２給電線１
６７との寄生容量とが相違するのであれば、この寄生容量の大きさに応じて、第１容量信
号Ｖc1の電圧振幅と第２容量信号Ｖc2の電圧振幅とを異ならせれば良い。
【００５７】
＜第２実施形態＞
次に、本発明の第２実施形態について説明する。図１６は、本発明の第２実施形態に係
る電気光学装置の構成を示すブロック図である。
この図に示される構成が第１実施形態（図１参照）と主に相違する部分は、検出回路１
７０において、各行に対応して容量１７９が設けられている点である。
詳細には、奇数（１、３、５、…、３１９）行に対応する容量１７９は、その一端が当
該行の容量線１３２に接続され、その他端が第１検出線１８６に接続される一方、偶数（
２、４、６、…、３２０）行に対応する容量１７９は、その一端が当該行の容量線１３２
に接続され、その他端が第２検出線１８８に接続されている。制御回路２０は、奇数行の
走査線１１２を選択する場合にはＨレベルとなり、偶数行の走査線１１２を選択する場合
にはＬレベルとなるような行指定信号Ｏeを出力する。
スイッチ３５は、行指定信号ＯeがＨレベルであれば、図に示されるように第１検出線
１８６を選択する一方、行指定信号ＯeがＬレベルであれば、第２検出線１８８を選択す
る。
第２実施形態において、第１容量信号出力回路３６は、スイッチ３５により選択された
第１検出線１８６または第２検出線１８８に現れるノイズの反転信号を第１目標信号Ｖc1
refに加算して、第１容量信号Ｖc1として出力するものである。
なお、この第２実施形態では、上述した理由により、第２容量信号出力回路３２を省略
しているので、第２目標信号Ｖc2refがそのまま第２容量信号Ｖc2として出力される構成
となっている。
【００５８】
図１７は、第２実施形態において、素子基板のうち、容量線駆動回路１５０と検出回路
１７０と表示領域１００の周辺付近との構成を示す平面図である。
この図に示されるように、検出回路１７０において容量線１３２が幅広となるように形
成されるとともに、第１検出線１８６および第２検出線１８８が、第３導電層となる金属
層のパターニングによって、容量線１３２の幅広部分と重なるように設けられている。し
たがって、容量１７９は、容量線１３２と第１検出線１８６または第２検出線１８８とに
よりゲート絶縁膜を誘電体として挟持した構成となる。
【００５９】
第２実施形態によれば、奇数行の走査線１１２が選択される水平走査期間（Ｈ）におい
て、当該選択走査線に対応する容量線１３２にノイズが発生した場合、当該ノイズは、当
該容量線１３２に対応する容量１７９を介して第１検出線１８６に伝搬する。奇数行の走
査線１１２が選択される水平走査期間（Ｈ）では、スイッチ３５は、第１検出線１８６を
選択するので、第１容量信号出力回路３６が、伝搬したノイズの反転信号を第１目標信号
Ｖc1refに加算して第１容量信号Ｖc1として出力すると、当該容量線１３２において発生
したノイズが相殺されることになる。
一方、偶数行の走査線１１２が選択される水平走査期間（Ｈ）において、当該選択走査
線に対応する容量線１３２にノイズが発生した場合、当該ノイズは、当該容量線１３２に
対応する容量１７９を介して第２検出線１８８に伝搬する。偶数行の走査線１１２が選択
される水平走査期間（Ｈ）では、スイッチ３５は、第２検出線１８８を選択するので、第
１容量信号出力回路３６が、伝搬したノイズの反転信号を第１目標信号Ｖc1refに加算し
て第１容量信号Ｖc 1として出力すると、当該容量線１３２において発生したノイズが相
殺されることになる。
これにより、第２実施形態においても、選択された走査線に対応する容量線１３２にお
いてノイズが相殺されるので、横方向の表示むらの発生を抑えることが可能となる。
【００６０】
＜第３実施形態＞
上述した第１、第２実施形態では、ｉ行目の容量線１３２は、（ｉ＋１）行目の走査線
の選択終了して走査信号Ｙ（ｉ＋１）がＬレベルになると、以降１フレームの期間経過し
て、再び走査信号ＹｉがＨレベルになるまで、ハイ・インピーダンス状態となる。容量線
１３２は、交差する（または、近接する）他の配線と寄生容量を介して結合するので、こ
れらの配線の電圧変動の影響を受けやすい（図１５の例を除く）。
そこで、容量線１３２をハイ・インピーダンス状態とさせずに、電圧の安定化を図った
第３実施形態について説明することにする。
【００６１】
図１８は、本発明の第３実施形態に係る電気光学装置の構成を示すブロック図である。
この図に示されるように、第３実施形態では、まず、容量線駆動回路１５０および検出
回路１７０の構成が第１実施形態と相違する。
詳細には、第３実施形態における容量線駆動回路１５０は、１〜３２０行目の容量線１
３２に対し、ｎチャネル型のＴＦＴ１５１、１５２に加えて、ＴＦＴ１５３、１５４の組
から構成される。
ここで、ｉ行目の容量線１３２に対応するＴＦＴ１５１〜１５４について説明すると、
当該ＴＦＴ１５１のゲート電極は、ｉ行目の走査線１１２に接続され、そのソース電極は
、第１給電線１６５に接続されているが、ＴＦＴ１５２のゲート電極は、ＴＦＴ１５３、
１５４のドレイン電極に共通接続されている。なお、ＴＦＴ１５２のソース電極は、第２
給電線１６７に接続され、また、ＴＦＴ１５１、１５２のドレイン電極同士がｉ行目の容
量線１３２に共通接続されている。
ｉ行目のＴＦＴ１５３（第３トランジスタ）のゲート電極は、ｉ行目の走査線１１２に
接続され、そのソース電極は、オフ電圧給電線１６１に接続され、また、ＴＦＴ１５４の
ゲート電極は、（ｉ＋１）行目の走査線１１２に接続され、そのソース電極は、オン電圧
給電線１６３に接続されている。
オフ電圧給電線１６１には信号Ｖoffが供給され、その信号Ｖoffの電圧は、それがＴＦ
Ｔ１５２のゲート電極に印加されたとしても、当該ＴＦＴ１５２をオフ（ソース・ドレイ
ン間が非導通）状態とさせる電圧である。また、オン電圧給電線１６３には信号Ｖonが供
給され、その信号Ｖonの電圧は、それがＴＦＴ１５２のゲート電極に印加されたときに、
当該ＴＦＴ１５２をオン（ソース・ドレイン間が導通）状態とさせる電圧である。
【００６２】
一方、第３実施形態における検出回路１７０では、１〜３２０行目の容量線１３２に対
し、ｎチャネル型のＴＦＴ１７６のみを有し、ＴＦＴ１７８を有しない。このため、ＴＦ
Ｔ１７６のドレイン電極に接続される第１検出線１８５のみが設けられ、第２検出線１８
７が設けられていない。
なお、この第３実施形態では、第２容量信号出力回路３２が省略されているので、第２
目標信号Ｖc2refがそのまま第２容量信号Ｖc2として出力される構成となっている。
【００６３】
図１９は、第３実施形態において、素子基板のうち、容量線駆動回路１５０と検出回路
１７０と表示領域１００の周辺付近との構成を示す平面図である。
この図に示されるように、ｉ行目のＴＦＴ１５３のゲート電極は、ｉ行目の走査線１１
２からＹ（下）方向にＴ字状に分岐した部分であり、同じくｉ行目に対応するＴＦＴ１５
４のゲート電極は、（ｉ＋１）行目の走査線１１２からＹ（上）方向にＴ字状に分岐した
部分である。ＴＦＴ１５３、１５４の共通ドレイン電極は、コンタクトホールを介してＴ
ＦＴ１５２のゲート電極に接続されている。
また、ｉ行目のＴＦＴ１７６のドレイン電極は、コンタクトホール１７６ａを介して、
一旦、ゲート電極層をパターニングした配線１７６ｂに接続され、さらに、この配線１７
６ｂは、コンタクトホール１７６ｃを介して、第１検出線１８５に接続されている。
【００６４】
第３実施形態によれば、走査信号ＹｉがＨレベルとなると、当該水平走査期間（Ｈ）に
わたって、ｉ行目の１５３がオンする。このため、ｉ行目のＴＦＴ１５２は、ゲート電極
にオフ電圧給電線１６１の信号Ｖoffが印加されるので、オフとなる。また、ｉ行目の１
５１、１７６がオンするので、ｉ行目の容量線１３２は、第１給電線１６５とともに、第
１検出線１８５に接続されるので、第１目標信号Ｖc1refの電圧となるように、第１容量
信号出力回路３１によって制御される。
次に、走査信号ＹｉがＬレベルとなり、走査信号Ｙ（ｉ＋１）がＨレベルになると、当
該水平走査期間（Ｈ）にわたって、ｉ行目の１５３がオフとなり、ＴＦＴ１５４がオンす
る。このため、ｉ行目のＴＦＴ１５２は、ゲート電極にオン電圧給電線１６３の信号Ｖon
が印加されるので、オンとなる。このため、ｉ行目の容量線１３２は、第２給電線１６７
の第２目標信号Ｖc2refの電圧となる。
続いて、走査信号Ｙ（ｉ＋１）がＬレベルとなり、走査信号Ｙ（ｉ＋２）がＨレベルに
なると、ｉ行目の１５４がオフとなるので、ＴＦＴ１５２のゲート電極は、ハイ・インピ
ーダンス状態となるが、その寄生容量によって、直前状態である信号Ｖonの電圧に保持さ
れる。このため、ＴＦＴ１５２ではオン状態が継続されるので、ｉ行目の容量線１３２は
、第２給電線１６７の第２目標信号Ｖc2refの電圧を維持することになる。すなわち、ｉ
行目の容量線１３２は、ｉ行目の走査線１１２が非選択であっても、第２容量信号Ｖc2の
電圧を維持することになる。
ここで、非選択期間は、選択期間に比べて遙かに長いので、ノイズが発生しても、その
影響を無視できるほどに減衰する。このため、第３実施形態では、第２検出線で検出した
電圧が第２目標信号Ｖc2refの電圧となるように第２容量信号Ｖc2を出力する第２容量信
号出力回路３２について、不要しているのである。
なお、第３実施形態では、第１目標信号Ｖc1refおよび第２目標信号Ｖc2refについて、
図５、図９、図１０、図１１で示した波形を採用することができる。すなわち、第２目標
信号Ｖc2refとしては、電圧変化しない波形を採用することができる。
【００６５】
上述した実施形態では、容量線駆動回路１５０において、ｉ行目の容量線１３２に対応
するＴＦＴ１５２（第３実施形態では、ＴＦＴ１５２、１５４）のゲート電極を、次の（
ｉ＋１）行の走査線１１２に接続したが、（ｉ＋１）行目以降の走査線１１２のように一
定の行数ｍ（ｍは２以上の整数）だけ離間した走査線１１２に接続する構成であれば足り
る。ただし、ｍが多くなると、ｉ行目の容量線１３２に対応するＴＦＴ１５２のゲート電
極を、（ｉ＋ｍ）行目の走査線１１２に接続する必要があり、配線が複雑化する。
また、最終の３２０行目の容量線１３２に対応するＴＦＴ１５２（１５４）までを駆動
するために、ダミーの走査線１１２がｍ行必要となる。ただし、各実施形態のようにｍが
「１」であれば、帰線期間をなくして、３２０行目の容量線１３２に対応するＴＦＴ１５
２（１５４）のゲート電極を、１行目の走査線１１２に接続する構成とすれば、また、例
えばｍが「２」であれば、帰線期間をなくして、３１９、３２０行目の容量線１３２に対
応するＴＦＴ１５２（１５４）のゲート電極を、それぞれ１、２行目の走査線１１２に接
続する構成とすれば、あえてダミーの走査線を設ける必要もない。
さらに、コモン電極１０８の電圧Ｖcomを、正極性書込が指定されたときに低位とし、
負極性書込が指定されたときに高位として切り替える構成でも良い。
【００６６】
また、各実施形態では、画素容量１２０として画素電極１１８とコモン電極１０８とで
液晶１０５を挟持して、液晶にかかる電界方向を基板面垂直方向とした構成としたが、画
素電極、絶縁層およびコモン電極とを積層して、液晶にかかる電界方向を基板面水平方向
とした構成としても良い。
一方、各実施形態では、垂直走査方向を図１において上から下方向に向かった方向とし
ているので、ｉ行目の容量線１３２に対応するＴＦＴ１５２のゲート電極を、（ｉ＋１）
行目の走査線１１２に接続したが、垂直走査方向を下から上方向に向かった方向とした場
合には（ｉ−１）行目の走査線１１２に接続すれば良い。すなわち、ｉ行目の容量線１３
２に対応するＴＦＴ１５２のゲート電極については、ｉ行目の走査線以外の走査線であっ
て、ｉ行目の走査線が選択された後に選択される走査線１１２に接続される構成であれば
良い。
【００６７】
また、上述した各実施形態では、画素容量１２０を単位としてみたときに、１フレーム
の期間毎に書込極性を反転したが、その理由は、画素容量１２０を交流駆動するために過
ぎないので、その反転周期は２フレームの期間以上の周期であっても良い。
さらに、画素容量１２０はノーマリーホワイトモードとしたが、電圧無印加状態におい
て暗い状態となるノーマリーブラックモードとしても良い。また、Ｒ（赤）、Ｇ（緑）、
Ｂ（青）の３画素で１ドットを構成して、カラー表示を行うとしても良いし、さらに、別
の色（例えばシアン（Ｃ））を追加し、これらの４色の画素で１ドットを構成して、色再
現性を向上させる構成としても良い。
【００６８】
上述した説明では、書込極性の基準をコモン電極１０８に印加される電圧ＬＣcomとし
ているが、これは、画素１１０におけるＴＦＴ１１６が理想的なスイッチとして機能する
場合であり、実際には、ＴＦＴ１１６のゲート・ドレイン間の寄生容量に起因して、オン
からオフに状態変化するときにドレイン（画素電極１１８）の電位が低下する現象（プッ
シュダウン、突き抜け、フィールドスルーなどと呼ばれる）が発生する。液晶の劣化を防
止するため、画素容量１２０については交流駆動としなければならないが、コモン電極１
０８への印加電圧ＬＣcomを書込極性の基準として交流駆動すると、プッシュダウンのた
めに、負極性書込による画素容量１２０の電圧実効値が、正極性書込による実効値よりも
若干大きくなってしまう（ＴＦＴ１１６がｎチャネルの場合）。このため、実際には、書
込極性の基準電圧とコモン電極１０８の電圧ＬＣcomとを別々とし、詳細には、書込極性
の基準電圧を、プッシュダウンの影響が相殺されるように、電圧ＬＣcomよりも高位側に
オフセットして設定するようにしても良い。
さらに、蓄積容量１３０は、直流的には絶縁されているので、第１給電線１６５と第２
給電線１６７に印加されている電位差だけが上述の関係となっていればよく、例えば電圧
ＬＣcomとの電位差は何ボルトであっても構わない。 
【００６９】
＜電子機器＞
次に、上述した実施形態に係る電気光学装置１０を表示装置として有する電子機器につ
いて説明する。図２０は、いずれかの実施形態に係る電気光学装置１０を用いた携帯電話
１２００の構成を示す図である。
この図に示されるように、携帯電話１２００は、複数の操作ボタン１２０２のほか、受
話口１２０４、送話口１２０６とともに、上述した電気光学装置１０を備えるものである
。なお、電気光学装置１０のうち、表示領域１００に相当する部分の構成要素については
外観としては現れない。
【００７０】
なお、電気光学装置１０が適用される電子機器としては、図２０に示される携帯電話の
他にも、デジタルスチルカメラや、ノートパソコン、液晶テレビ、ビューファインダ型（
またはモニタ直視型）のビデオレコーダ、カーナビゲーション装置、ページャ、電子手帳
、電卓、ワードプロセッサ、ワークステーション、テレビ電話、ＰＯＳ端末、タッチパネ
ルを備えた機器等などが挙げられる。そして、これらの各種電子機器の表示装置として、
上述した電気光学装置１が適用可能であることは言うまでもない。
【図面の簡単な説明】
【００７１】
【図１】本発明の第１実施形態に係る電気光学装置の構成を示す図である。
【図２】同電気光学装置における画素の構成を示す図である。
【図３】同電気光学装置の表示領域の周辺構成を示す図である。
【図４】同電気光学装置の第１（第２）容量信号出力回路の構成を示す図である。
【図５】同電気光学装置の動作を説明するための図である。
【図６】同電気光学装置の負極性書込を示す図である。
【図７】同電気光学装置の動作を説明するための電圧波形図である。
【図８】同電気光学装置のデータ信号と保持電圧との関係を示す図である。
【図９】同電気光学装置の別動作（その１）を説明するための図である。
【図１０】同電気光学装置の別動作（その２）を説明するための図である。
【図１１】同電気光学装置の別動作（その３）を説明するための図である。
【図１２】別動作（その３）を説明するための電圧波形図である。
【図１３】別動作（その３）におけるデータ信号と保持電圧との関係を示す図である。
【図１４】同電気光学装置のさらに別動作（その４）を説明するための図である。
【図１５】同電気光学装置のさらに別動作（その５）を説明するための図である。
【図１６】本発明の第２実施形態に係る電気光学装置の構成を示す図である。
【図１７】同電気光学装置の表示領域の周辺構成を示す図である。
【図１８】本発明の第３実施形態に係る電気光学装置の構成を示す図である。
【図１９】同電気光学装置の表示領域の周辺構成を示す図である。
【図２０】実施形態に係る電気光学装置を用いた携帯電話を示す図である。
【符号の説明】
【００７２】
１０…電気光学装置、２０…制御回路、３１…第１容量信号出力回路、３２…第２容量
信号出力回路、１００…表示領域、１０８…コモン電極、１１０…画素、１１２…走査線
、１１４…データ線、１１６…ＴＦＴ、１２０…画素容量、１３０…蓄積容量、１３２…
容量線、１４０…走査線駆動回路、１５０…容量線駆動回路、１５１〜１５４…ＴＦＴ、
１６５…第１給電線、１６７…第２給電線、１７０…検出回路、１７６、１７８…ＴＦＴ
、１７９…容量、１８５、１８６…第１検出線、１８７、１８８…第２検出線、１２００
…携帯電話
【図１】
2008040378.tif 000003
【図２】
2008040378.tif 000004
【図３】
2008040378.tif 000005
【図４】
2008040378.tif 000006
【図５】
2008040378.tif 000007
【図６】
2008040378.tif 000008
【図７】
2008040378.tif 000009
【図８】
2008040378.tif 000010
【図９】
2008040378.tif 000011
【図１０】
2008040378.tif 000012
【図１１】
2008040378.tif 000013
【図１２】
2008040378.tif 000014
【図１３】
2008040378.tif 000015
【図１４】
2008040378.tif 000016
【図１５】
2008040378.tif 000017
【図１６】
2008040378.tif 000018
【図１７】
2008040378.tif 000019
【図１８】
2008040378.tif 000020
【図１９】
2008040378.tif 000021
【図２０】
2008040378.tif 000022